(57)【要約】【課題】近年のニーズに対応し、装置の大型化や構造の複雑化を招くことなく、ユーザの用途に応じてテープ態様を可変に設定し、種々のラベルを作成する。【解決手段】タグテープ３Ａ−Ｗ及びタグテープ３Ａ−Ｎをそれぞれ巻回した第１ロール４Ｕ及び第２ロール４Ｌを収容する上下カートリッジホルダ部２Ｕ，２Ｌを備えた筐体２と、この筐体２に回転可能に設けられ、第１ロール４Ｕからタグテープ３Ａ−Ｗを繰り出す場合には一の方向へ回転し、第２ロール４Ｌからタグテープ３Ａ−Ｎを繰り出す場合には他の方向へ回転するメインローラ９と、このメインローラ９で繰り出されて搬送されるタグテープ３Ａ−Ｗ，３Ａ−Ｎに印字を行う上下印字ヘッド１２Ｕ，１２Ｌとを有する。【選択図】  図３
2006240220.tif 000002
【特許請求の範囲】
【請求項１】
第１及び第２テープをそれぞれ巻回した第１及び第２ロールを収容するロール収容部を備えた筐体と、
この筐体に回転可能に設けられ、前記第１ロールから前記第１テープを繰り出す場合には一の方向へ回転し、前記第２ロールから前記第２テープを繰り出す場合には他の方向へ回転する繰り出し手段と、
この繰り出し手段で繰り出されて搬送される前記第１テープ又は前記第２テープに印字を行う印字手段とを有することを特徴とするテープ印字装置。
【請求項２】
請求項１記載のテープ印字装置において、
前記繰り出し手段は、駆動手段により回転駆動されて前記第１テープ又は前記第２テープを搬送駆動する駆動ローラであることを特徴とするテープ印字装置。
【請求項３】
請求項２記載のテープ印字装置において、
前記駆動ローラに対向して設けられ、前記駆動ローラと協働して前記第１テープ又は前記第２テープを搬送駆動する補助ローラを有することを特徴とするテープ印字装置。
【請求項４】
請求項１乃至３のいずれか１項記載のテープ印字装置において、
前記印字手段は、前記繰り出し手段により前記第１テープが繰り出されるときに当該第１テープに当接して印字を行う第１印字ヘッドと、前記繰り出し手段により前記第２テープが繰り出されるときに当該第２テープに当接して印字を行う第２印字ヘッドとを含むことを特徴とするテープ印字装置。
【請求項５】
請求項１乃至３のいずれか１項記載のテープ印字装置において、
前記印字手段は、前記繰り出し手段により前記第１テープが繰り出されるときには当該第１テープに当接して印字を行うように、前記繰り出し手段により前記第２テープが繰り出されるときには当該第２テープに当接して印字を行うように、配置位置が切り替え駆動される共通の印字ヘッドであることを特徴とするテープ印字装置。
【請求項６】
請求項１乃至５のいずれか１項記載のテープ印字装置において、
前記ロール収容部は、軸心を略水平方向とした前記第１ロール及び前記第２ロールが略鉛直方向に重なって配列されるように、前記第１及び第２ロールを収容することを特徴とするテープ印字装置。
【請求項７】
請求項１乃至５のいずれか１項記載のテープ印字装置において、
前記ロール収容部は、軸心を略水平方向とした前記第１ロール及び前記第２ロールが略水平方向に並んで配列されるように、前記第１及び第２ロールを収容することを特徴とするテープ印字装置。
【請求項８】
第１及び第２テープをそれぞれ巻回した第１及び第２ロールを収容するロール収容部を備えた筐体と、
この筐体に回転可能に設けられ、前記第１ロールから前記第１テープを繰り出す場合には一の方向へ回転し、前記第２ロールから前記第２テープを繰り出す場合には他の方向へ回転する繰り出し手段と、
この繰り出し手段で繰り出されて搬送される前記第１テープ又は前記第２テープに印字を行う印字手段と、
前記第１テープ及び第２テープの少なくとも一方に所定ピッチにて複数個配置された無線タグ回路素子との間で無線通信により情報の送受信を行う装置側アンテナ手段と、
前記無線タグ回路素子のＩＣ回路部へのアクセス情報を生成し、前記装置側アンテナ手段を介して前記無線タグ回路素子へ送信し、前記無線タグ回路素子のＩＣ回路部への情報書き込み又はＩＣ回路部からの情報読みとりを行う情報アクセス手段とを有することを特徴とするタグラベル作成装置。
【請求項９】
請求項８記載のタグラベル作成装置において、
前記装置側アンテナ手段は、前記第１テープに備えられた無線タグ回路素子との間で無線通信により情報の送受信が可能な第１アンテナと、前記第２テープに備えられた無線タグ回路素子との間で無線通信により情報の送受信が可能な第２アンテナとを含むことを特徴とするタグラベル作成装置。
【請求項１０】
請求項８記載のタグラベル作成装置において、
前記装置側アンテナ手段は、前記第１テープに備えられた無線タグ回路素子、前記第２テープに備えられた無線タグ回路素子のいずれとも無線通信により情報の送受信が可能な共通のアンテナを含むことを特徴とするタグラベル作成装置。
【請求項１１】
請求項８乃至１０記載のタグラベル作成装置において、
前記繰り出し手段の動作を切り替えるとともに、前記無線タグ回路素子を備えた前記第１テープまたは第２テープに対応して前記情報アクセス手段の通信パラメータを切り替えて設定する切り替え手段を有することを特徴とするタグラベル作成装置。
【発明の詳細な説明】
【技術分野】
【０００１】
本発明は、印字ラベルを作成するためにテープに印字を行うテープ印字装置及びこれを用いたタグラベル作成装置に関する。
【背景技術】
【０００２】
被印字材となるテープをロール状にカートリッジ内に収納し、ロールよりテープを繰り出しつつ所望の文字を印刷してラベル状に排出するテープ印刷装置（ラベル作成装置）がある。
【０００３】
近年、ユーザの多種多様な用途に応じ、テープ幅、テープ色等のテープ態様が互いに異なる複数のカートリッジをテープ印刷装置内に装着し、種々の態様のテープでラベルを作成する従来技術が既に提唱されている（例えば、特許文献１）。
【０００４】
【特許文献１】特開２００１−１３００５８号、段落番号３０〜４０、図１〜図７）
【発明の開示】
【発明が解決しようとする課題】
【０００５】
しかしながら、上記従来技術には以下の課題が存在する。
【０００６】
すなわち、上記従来技術のラベル作成装置では、装置内に複数のカートリッジを配置しておき、ユーザからの指示に応じてそれら複数のカートリッジより１つを選出して印刷手段へと搬送し、当該カートリッジより繰り出したテープに印刷を行うようになっている。このように複数のカートリッジを装置内に収納配置して使い分け、テープ態様（テープ自体が同じだがテープに配置される物やその配置態様が異なる場合を含む）を可変とする場合、装置内に大がかりなカートリッジ搬送装置が必要となり、装置の大型化及び構造の複雑化を招く。
【０００７】
本発明の目的は、装置の大型化や構造の複雑化を招くことなく、ユーザの用途に応じてテープ態様を可変に設定し、種々のラベルを作成することができるテープ印字装置及びこれを用いたタグラベル作成装置を提供することにある。
【課題を解決するための手段】
【０００８】
上記目的を達成するために、第１の発明は、第１及び第２テープをそれぞれ巻回した第１及び第２ロールを収容するロール収容部を備えた筐体と、この筐体に回転可能に設けられ、前記第１ロールから前記第１テープを繰り出す場合には一の方向へ回転し、前記第２ロールから前記第２テープを繰り出す場合には他の方向へ回転する繰り出し手段と、この繰り出し手段で繰り出されて搬送される前記第１テープ又は前記第２テープに印字を行う印字手段とを有することを特徴とする。
【０００９】
本願第１発明のテープ印字装置においては、第１及び第２テープをそれぞれ巻回した第１及び第２ロールをロール収容部に収納し、共通の１つの繰り出し手段が一の方向又は他の方向へ回転することでそれら第１又は第２ロールから第１又は第２テープを選択的に繰り出し、その繰り出した第１テープ又は第２テープに印字手段で印字を行う。このように、互いに異なる２種類のテープを収納し、それらのうちいずれか１つのテープを選択的に繰り出し印字可能とすることにより、それら複数種類のテープとして、例えば無線タグ回路素子を備えたテープと備えないテープ、あるいは無線タグ回路素子を比較的長い間隔で配置したテープと比較的短い間隔で配置したテープ、あるいは幅の異なる又は色の異なるテープ等を適宜組み合わせて第１及び第２ロールに巻回して予めロール収容部に収納配置しておくだけで、使用者のニーズに応じてそれら態様の異なるテープを適宜選択的に繰り出し印字を行い、これを用いてラベルを作成することが可能となる。この結果、装置内に収納配置した複数のカートリッジを大がかりなカートリッジ搬送装置で使い分ける従来構造と異なり、比較的簡素な構造で、使用者の多種多様な用途に対応してテープ態様（上記無線タグ回路素子の有無や配置間隔等を含む）を可変に設定し、種々のラベルを作成することができる。
【００１０】
第２の発明は、上記第１発明において、前記繰り出し手段は、駆動手段により回転駆動されて前記第１テープ又は前記第２テープを搬送駆動する駆動ローラであることを特徴とする。
【００１１】
駆動手段で回転駆動される駆動ローラが一の方向又は他の方向へ回転することで、ロール収容部に収納された第１及び第２ロールに巻回された第１又は第２テープを選択的に繰り出すことができる。
【００１２】
第３の発明は、上記第２発明において、記駆動ローラと協働して前記第１テープ又は前記第２テープを搬送駆動する補助ローラを有することを特徴とする。
【００１３】
これにより、駆動手段で回転駆動される駆動ローラが一の方向へ回転するときに対向位置にある補助ローラと協働して第１ロールから第１テープを繰り出して搬送駆動することができ、また駆動ローラが一の方向へ回転するときに対向位置にある補助ローラと協働して第２ロールから第２テープを繰り出して搬送駆動することができる。
【００１４】
第４の発明は、上記第１乃至第３発明のいずれか１つにおいて、前記印字手段は、前記繰り出し手段により前記第１テープが繰り出されるときに当該第１テープに当接して印字を行う第１印字ヘッドと、前記繰り出し手段により前記第２テープが繰り出されるときに当該第２テープに当接して印字を行う第２印字ヘッドとを含むことを特徴とする。
【００１５】
これにより、繰り出し手段が一の方向へ回転して第１ロールから第１テープが繰り出されるときには第１印字ヘッドで第１テープに印字を行うことができ、繰り出し手段が他の方向へ回転して第２ロールから第２テープが繰り出されるときには第２印字ヘッドで第２テープに印字を行うことができる。
【００１６】
第５の発明は、上記第１乃至第３発明のいずれか１つにおいて、前記印字手段は、前記繰り出し手段により前記第１テープが繰り出されるときには当該第１テープに当接して印字を行うように、前記繰り出し手段により前記第２テープが繰り出されるときには当該第２テープに当接して印字を行うように、配置位置が切り替え駆動される共通の印字ヘッドであることを特徴とする。
【００１７】
これにより、繰り出し手段が一の方向へ回転して第１ロールから第１テープが繰り出されるときには共通の印字ヘッドの配置位置を当該第１テープ側に切り替えて第１テープに印字を行い、繰り出し手段が他の方向へ回転して第２ロールから第２テープが繰り出されるときには共通の印字ヘッドの配置位置を当該第２テープ側に切り替えて第２テープに印字を行うことができる。
【００１８】
第６の発明は、上記第１乃至第５発明のいずれか１つにおいて、前記ロール収容部は、軸心を略水平方向とした前記第１ロール及び前記第２ロールが略鉛直方向に重なって配列されるように、前記第１及び第２ロールを収容することを特徴とする。
【００１９】
第１ロール及び第２ロールを略鉛直方向に重なるように配置することにより、ロール収容部の水平方向の奥行き寸法を低減することができ、装置におけるスペースの有効活用や装置全体の小型化を図ることができる。
【００２０】
第７の発明は、上記第１乃至第５発明のいずれか１つにおいて、前記ロール収容部は、軸心を略水平方向とした前記第１ロール及び前記第２ロールが略水平方向に並んで配列されるように、前記第１及び第２ロールを収容することを特徴とする。
【００２１】
第１ロール及び第２ロールを略水平方向に並ぶように配置することにより、ロール収容部の高さ方向の寸法を低減することができ、装置におけるスペースの有効活用や装置全体の小型化を図ることができる。
【００２２】
上記目的を達成するために、第８の発明は、第１及び第２テープをそれぞれ巻回した第１及び第２ロールを収容するロール収容部を備えた筐体と、この筐体に回転可能に設けられ、前記第１ロールから前記第１テープを繰り出す場合には一の方向へ回転し、前記第２ロールから前記第２テープを繰り出す場合には他の方向へ回転する繰り出し手段と、この繰り出し手段で繰り出されて搬送される前記第１テープ又は前記第２テープに印字を行う印字手段と、前記第１テープ及び第２テープの少なくとも一方に所定ピッチにて複数個配置された無線タグ回路素子との間で無線通信により情報の送受信を行う装置側アンテナ手段と、前記無線タグ回路素子のＩＣ回路部へのアクセス情報を生成し、前記装置側アンテナ手段を介して前記無線タグ回路素子へ送信し、前記無線タグ回路素子のＩＣ回路部への情報書き込み又はＩＣ回路部からの情報読みとりを行う情報アクセス手段とを有することを特徴とする。
【００２３】
本願第８発明のタグラベル作成装置においては、第１及び第２テープをそれぞれ巻回した第１及び第２ロールをロール収容部に収納し、共通の１つの繰り出し手段が一の方向又は他の方向へ回転することでそれら第１又は第２ロールから第１又は第２テープを選択的に繰り出し、その繰り出した第１テープ又は第２テープに印字手段で印字を行う。また第１又は第２テープに備えられた無線タグ回路素子のＩＣ回路部へのアクセス情報を、情報アクセス手段が装置側アンテナ手段を介して送信し、情報書き込み又は読み取りを行う。このように、互いに異なる２種類のテープを収納し、それらのうちいずれか１つのテープを選択的に繰り出し印字可能とすることにより、それら複数種類のテープとして、例えば無線タグ回路素子を備えたテープと備えないテープ、あるいは無線タグ回路素子を比較的長い間隔で配置したテープと比較的短い間隔で配置したテープ、あるいは幅の異なる又は色の異なるテープ等を適宜組み合わせて第１及び第２ロールに巻回して予めロール収容部に収納配置しておくだけで、使用者のニーズに応じてそれら態様の異なるテープを適宜選択的に繰り出し印字を行い、無線タグラベルを作成することが可能となる。この結果、装置内に収納配置した複数のカートリッジを大がかりなカートリッジ搬送装置で使い分ける従来構造と異なり、簡素な構造で、使用者の多種多様な用途に対応してテープ態様（上記無線タグ回路素子の有無や配置間隔等を含む）を可変に設定し、種々の無線タグラベルを作成することができる。
【００２４】
第９の発明は、上記第８発明において、前記装置側アンテナ手段は、前記第１テープに備えられた無線タグ回路素子との間で無線通信により情報の送受信が可能な第１アンテナと、前記第２テープに備えられた無線タグ回路素子との間で無線通信により情報の送受信が可能な第２アンテナとを含むことを特徴とする。
【００２５】
これにより、繰り出し手段が一の方向へ回転して第１ロールから無線タグ回路素子を備えた第１テープが繰り出されるときには第１アンテナで第１テープの無線タグ回路素子と通信を行うことができ、繰り出し手段が他の方向へ回転して第２ロールから無線タグ回路素子を備えた第２テープが繰り出されるときには第２アンテナで第２テープの無線タグ回路素子と通信を行うことができる。したがって、例えば第１テープ及び第２テープの無線タグ回路素子への通信周波数が異なる場合に、第１アンテナは第１テープの無線タグ回路素子への通信周波数に適したものとし、第２アンテナは第２テープの無線タグ回路素子への通信周波数に適したものとして、周波数の異なるアンテナを使い分けることができる。
【００２６】
第１０の発明は、上記第８発明において、前記装置側アンテナ手段は、前記第１テープに備えられた無線タグ回路素子、前記第２テープに備えられた無線タグ回路素子のいずれとも無線通信により情報の送受信が可能な共通のアンテナを含むことを特徴とする。
【００２７】
これにより、繰り出し手段が一の方向へ回転して第１ロールから無線タグ回路素子を備えた第１テープが繰り出されるときも、繰り出し手段が他の方向へ回転して第２ロールから無線タグ回路素子を備えた第２テープが繰り出されるときも、１つの共通のアンテナでそれぞれの無線タグ回路素子と通信を行うことができる。この結果、それぞれに対応して２つのアンテナを別々に設ける場合に比べ、装置におけるスペースの有効活用や装置全体の小型化を図ることができる。
【００２８】
第１１の発明は、上記第８乃至第１０発明のいずれかにおいて、前記繰り出し手段の動作を切り替えるとともに、前記無線タグ回路素子を備えた前記第１テープまたは第２テープに対応して前記情報アクセス手段の通信パラメータを切り替えて設定する切り替え手段を有することを特徴とする。
【００２９】
これにより、第１テープと第２テープの通信パラメータ（周波数、電力、プロトコル、データ容量など）が異なる場合においても、アクセス手段は選択されて繰り出されるテープに備えられた無線タグ回路素子に確実にアクセスすることができる。
【発明の効果】
【００３０】
本発明によれば、装置の大型化や構造の複雑化を招くことなく、ユーザの用途に応じてテープ態様を可変に設定し、種々のラベルを作成することができる。
【発明を実施するための最良の形態】
【００３１】
以下、本発明の一実施の形態を図面を参照しつつ説明する。
【００３２】
図１は、本実施形態のテープ印字装置の概略構成を表す側部概念図であり、図２はその上部概念図である。
【００３３】
これら図１及び図２において、テープ印字装置（この例では後述のようにタグラベル作成装置である）１は、筐体（本体筐体）２と、この本体筐体２内に位置し、第１ロール４Ｕ及び第２ロール４Ｌを回転可能に収容した上カートリッジ５Ｕ及び下カートリッジ５Ｌ（図示せず）を着脱可能に取り付ける上カートリッジホルダ部（上ロール収容部）２Ｕ及び下カートリッジホルダ部（下ロール収容部）２Ｌとを有している。なお、このように第１及び第２テープを巻回したロール４Ｕ，４Ｌを筐体２に対し着脱可能にカートリッジ化せずに、筐体２にロール４Ｕ，４Ｌを直接取り付ける構造としても良い。
【００３４】
第１ロール４Ｕには、所定幅のタグテープ（第１テープ）３Ａ−Ｗが巻回されており、図１に示すように第１ロール４Ｕの下端部から繰り出されるように配置されている。また第２ロール４Ｌには上記タグテープ３Ａ−Ｗより狭い幅のタグテープ（第２テープ）３Ａ−Ｎが巻回されており、図１に示すように第２ロール４Ｌの上端部から繰り出されるように配置されている。これらタグテープ３Ａ−Ｗ，３Ａ−Ｎは、巻芯３Ｂ−Ｗ，３Ｂ−Ｎにロール状に巻回されている。
【００３５】
タグテープ３Ａ−Ｗ及びタグテープ３Ａ−Ｎには、ＩＣ回路部１５０及びアンテナ１５１を備えた無線タグ回路素子Ｔoが設けられている。すなわち、タグテープ３Ａ−Ｗ，３Ａ−Ｎはこの例では３層構造となっており、それぞれロールの内側に巻かれる側よりその反対側へ向かって、剥離紙３ａ、粘着層３ｂ、自己発色性を有する長尺状の感熱紙（いわゆる、サーマルペーパー）３ｃの順序で積層され構成されている。
【００３６】
感熱紙３ｃの裏側には、情報を記憶するＩＣ回路部１５０がこの例では一体的に設けられており、感熱紙３ｃの裏側の表面には上記ＩＣ回路部１５０に接続され情報の送受信を行うアンテナ１５１が形成されており、これらＩＣ回路部１５０及びアンテナ１５１によって無線タグ回路素子Ｔoが構成されている。感熱紙３ｃの裏側にはまた、上記粘着層３ｂによって上記剥離紙３ａが感熱紙３ｃに接着されている。この剥離紙３ａは、最終的に完成した無線タグラベルＴが所定の商品等に貼り付けられる際に、これを剥がすことで粘着層３ｂにより当該商品等に接着できるようにしたものである。
【００３７】
また、筐体２内のうち、上記第１及び第２ロール４Ｕ，４Ｌから繰り出されるタグテープ３Ａ−Ｗ，３Ａ−Ｎの搬送方向（図１中左右方向）末端部（出口付近）には、カッタユニット８が設けられる。
【００３８】
また、上記カッタユニット８のタグテープ３Ａ−Ｗ，３Ａ−Ｎ搬送方向上流側（図１中右側）には、タグテープ３Ａ−Ｗ，３Ａ−Ｎに対し印字を行うとともにそれぞれに配置された上記無線タグ回路素子Ｔoの上記ＩＣ回路部１５０にアクセス（情報の読み取り又は書き込み）を行う印字・アクセス部ＰＡが設けられている（詳細構造は後述）。
【００３９】
図３及び図４は、上記印字・アクセス部ＰＡの詳細構造を表す図１中要部拡大抽出図であり、図３は第１ロール４Ｕからタグテープ３Ａ−Ｗを繰り出すときの状態を表し、図４は第２ロール４Ｌからタグテープ３Ａ−Ｎを繰り出すときの状態を表している。
【００４０】
これら図３及び図４において、印字・アクセス部ＰＡは、筐体２に固定された支持部材６と、この支持部材６に回動可能に設けられ、第１ロール４Ｕ及び第２ロール４Ｌから繰り出されるタグテープ３Ａ−Ｗ及びタグテープ３Ａ−Ｌをそれぞれ搬送するための搬送ローラ７Ｕ，７Ｌと、上記支持部材６を介し筐体２に回転可能に支持されるメインローラ９（駆動ローラ、繰り出し手段）と、上記支持部材６に設けられ、上記タグテープ３Ａ−Ｗ又はタグテープ３Ａ−Ｎに配置された無線タグ回路素子Ｔoとの間で無線通信により情報の送受信を行う両テープについて共通のアンテナ２０（装置側アンテナ手段）と、第１ロール４Ｕと第２ロール４Ｌとの間に位置する回動支点１１を中心に図３中上下方向に首振り回動可能な切替部材１０とを備えている。
【００４１】
メインローラ９は、後述するメインローラ用モータ２０８（図示せず、後述の図６参照）から発生された駆動力によって回転駆動される。このとき例えば、当該メインローラ用モータ２０８からメインローラ９までの駆動力伝達機構（複数の歯車又はクラッチ等を備える機構等）に出力する回転駆動力の向きを逆転可能な逆転手段が備えられている。そして例えば操作者によりタグテープ３Ａ−Ｗへの印字が選択された場合（言い換えれば第１ロール４Ｕからタグテープ３Ａ−Ｗを繰り出す場合）には通常の順方向の回転駆動力を出力し、メインローラ９は一の方向（図３中反時計回り、矢印参照）へ回転してタグテープ３Ａ−Ｗを搬送駆動する。例えば操作者によりタグテープ３Ａ−Ｎへの印字が選択された場合（言い換えれば第２ロール４Ｌからタグテープ３Ａ−Ｎを繰り出す場合）には上記逆転手段によって上記順方向とは逆方向の回転駆動力を出力し、メインローラ９は他の方向（後述の図４中時計回り）へ回転してタグテープ３Ａ−Ｎを搬送駆動するようになっている。
【００４２】
切替部材１０は、メインローラ９で繰り出されて搬送されるタグテープ３Ａ−Ｗ及びタグテープ３Ａ−Ｎにそれぞれ印字を行うための印字手段としての上印字ヘッド（第１印字ヘッド）１２Ｕ及び下印字ヘッド（第２印字ヘッド）１２Ｌと、上記メインローラ９に対向するように設けられ、メインローラ９と協働してタグテープ３Ａ−Ｗ及びタグテープ３Ａ−Ｎをそれぞれ搬送駆動する上補助ローラ１３Ｕ及び下補助ローラ１３Ｌとを有している。
【００４３】
このとき、ベルトで駆動されるステップモータ及びその回転軸上に設けられたプーリによって構成される切替駆動手段１１１が配置されており、この切替駆動手段は、制御回路２１０からのどちらのロールを使用するかを示す制御信号により駆動制御される。そして、切替部材１０は、上記切替駆動手段１１１の駆動力がベルト１１２を介し伝達されることにより、第１ロール４Ｕからタグテープ３Ａ−Ｗを繰り出す場合には図３に示す「下方位置」に切り替えられる（図３及び図４中下方、言い換えれば第２ロール４Ｌ側への切り替え）とともに、第２ロール４Ｌからタグテープ３Ａ−Ｎを繰り出す場合には図４に示す「上方位置」に切り替えられる（図３及び図４中上方、言い換えれば第１ロール４Ｕ側への切り替え）。
【００４４】
切替部材１０が上記下方位置になると、上記上補助ローラ１３Ｕがメインローラ９に上方から当接してタグテープ３Ａ−Ｗを挟み込むことでメインローラ９の駆動力（図３中反時計方向の矢印参照）でタグテープ３Ａ−Ｗを第１ロール４Ｕから繰り出して搬送し、さらにその搬送されるタグテープ３Ａ−Ｗに上印字ヘッド１２Ｕが当接して印字を行う。一方、切替部材１０が上記上方位置になると、上記下補助ローラ１３Ｌがメインローラ９に下方から当接してタグテープ３Ａ−Ｎを挟み込むことでメインローラ９の駆動力（図４中時計方向の矢印参照）でタグテープ３Ａ−Ｎを第２ロール４Ｌから繰り出して搬送し、さらにその搬送されるタグテープ３Ａ−Ｎに下印字ヘッド１２Ｌが当接して印字を行うようになっている（すなわちこの例では、タグテープ３Ａ−Ｗ側かタグテープ３Ａ−Ｎ側かのいすれか一方に、選択的に搬送駆動及び印字が行われる）。
【００４５】
カッタユニット８は、筐体２のうち、上記メインローラ９や上下補助ローラ１３Ｕ，１３Ｌよりテープ搬送方向下流側に設けられている。またこのカッタユニット８は、タグテープ３Ａ−Ｗ，３Ａ−Ｎの長手方向と略直交する切断方向（図３中紙面に垂直方向）に移動可能に配置され、タグテープ３Ａ−Ｗ，３Ａ−Ｎをそれぞれ切断可能なカッタ１４Ｕ，１４Ｌ（切断刃、図示せず）を有している。アンテナ２０によりＩＣ回路部１５０に対する情報読み出し又は書き込みが終了し（詳細は後述）かつ印字ヘッド１２Ｕ又は１２Ｌによる印字が終了したタグテープ３Ａ−Ｗ又は３Ａ−Ｎを、上記カッタ１４Ｕ又は１４Ｌによって所定長さに切断することにより無線タグラベルＴ（後述の図８参照）が分割生成される。
【００４６】
図５は、上記タグテープ３Ａ−Ｗ及び３Ａ−Ｎに備えられる無線タグ回路素子Ｔoの機能的構成を表す機能ブロック図である。
【００４７】
この図５において、無線タグ回路素子Ｔoは、テープ印字装置１側のアンテナ２０とＵＨＦ帯等の高周波を用いて非接触で信号の送受信を行う上記アンテナ１５１と、このアンテナ１５１に接続された上記ＩＣ回路部１５０とを有している。
【００４８】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための上記制御部１５７とを備えている。
【００４９】
変復調部１５６は、アンテナ１５１により受信された上記テープ印字装置１のアンテナ２０からの通信信号の復調を行うと共に、上記制御部１５７からの応答信号に基づき、アンテナ２０より受信された搬送波を変調反射する。
【００５０】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５１】
図６は、テープ印字装置１の切替駆動手段を除いた制御系を表す概念図である。
【００５２】
図６において、巻芯３Ｂ−Ｗ（又は３Ｂ−Ｎ）に巻回された上記タグテープ３Ａ−Ｗ（又は３Ａ−Ｎ）は、前述したように複数の無線タグ回路素子Ｔoがそれぞれ長手方向等間隔で配列されるとともに、この例では、それぞれの無線タグ回路素子Ｔoに対応している領域が上記印字ヘッド１２Ｕ（又は１２Ｌ）により各無線タグ回路素子Ｔoに対応する印字Ｒ（後述の図８参照）が行われる印字領域Ｓとなっている。上記アンテナ２０によって、タグテープ３Ａ−Ｗ（又は３Ａ−Ｎ）に備えられる無線タグ回路素子Ｔoとの間でＵＨＦ帯等の高周波を用いて無線通信により信号の授受が行われた後、上記印字領域Ｓに印字が行われ、印字済みのタグテープ３Ａ−Ｗ（又は３Ａ−Ｎ）はカッタユニット８にて切断され、無線タグラベルＴが生成される。
【００５３】
このときテープ印字装置１には、タグテープ３Ａ−Ｗ（又は３Ａ−Ｎ）及び切断後の無線タグラベルＴを搬出口Ｅへと搬送し送出する上記メインローラ９と、上記アンテナ２０を介し上記無線タグ回路素子ＴoのＩＣ回路部１５０の情報(無線タグ情報)へアクセスする（読み取り又は書き込みを行う）ための高周波回路２０１と、無線タグ回路素子ＴoのＩＣ回路部１５０から読み出された信号を高周波回路２０１を介して入力し所定の処理を行って情報を読み出すとともに、高周波回路２０１を介して無線タグ回路素子ＴoのＩＣ回路部１５０へアクセスする信号処理回路２０２と、上記印字ヘッド１２Ｕ（又は１２Ｌ）への通電を制御する印刷駆動回路２０５と、上記メインローラ９を駆動するメインローラ用モータ２０８を制御するメインローラ駆動回路２０９と、カッタユニット８のカッタ１４Ｕ及び１４Ｌを作動させるカッタソレノイド２８へ通電するカッタソレノイド駆動回路３０と、上記高周波回路２０１、信号処理回路２０２、印刷駆動回路２０５、メインローラ駆動回路２０９、カッタソレノイド駆動回路３０等を介し、テープ印字装置１全体の動作を制御するための制御回路２１０とが設けられている。なお、上記無線通信による信号授受時において無線タグ回路素子Ｔoをアンテナ２０に対向する所定のアクセスエリアに設定保持するとともに切断後の各無線タグラベルＴを案内する搬送ガイドをさらに設けてもよい。
【００５４】
制御回路２１０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。また、この制御回路２１０は、電源回路２１１Ａにより給電されるとともに、通信回路２１１Ｂを介し例えば通信回線に接続され、この通信回線に接続された図示しないルートサーバ、他の端末、汎用コンピュータ、及び情報サーバ等との間で情報のやりとりが可能となっている。
【００５５】
図７は、上記高周波回路２０１の詳細機能を表す機能ブロック図である。この図７において、高周波回路２０１は、アンテナ２０を介し無線タグ回路素子Ｔoに対して信号を送信する送信部２１２と、アンテナ２０により受信された無線タグ回路素子Ｔoからの反射波を入力する受信部２１３と、送受分離器２１４とから構成される。
【００５６】
送信部２１２は、無線タグ回路素子ＴoのＩＣ回路部１５０の無線タグ情報にアクセスする(読み取り／書き込みを行う)ための搬送波を発生させる水晶発振回路２１５と、上記信号処理回路２０２から供給される信号に基づいて上記発生させられた搬送波を変調（この例では信号処理回路２０２からの「ＴＸ＿ＡＳＫ」信号に基づく振幅変調）する送信乗算回路２１６（但し振幅変調の場合は増幅率可変アンプ等を用いてもよい）と、その送信乗算回路２１６により変調された変調波を増幅（この例では制御回路２１０からの「ＴＸ＿ＰＷＲ」信号によって増幅率を決定される増幅）する送信アンプ２１７とを備えている。そして、上記送信アンプ２１７の出力は、送受分離器２１４を介してアンテナ２０に伝達されて無線タグ回路素子ＴoのＩＣ回路部１５０に供給される。
【００５７】
なおこのとき、信号処理回路２１２の動作パラメータが、作成対象となるタグテープ（第１テープ３Ａ−Ｗまたは第２テープ３Ａ−Ｎ）に対応して制御回路２１０の制御信号により設定される。また、挿入されている無線タグ回路素子Ｔoの感度に対応して送信部２１２からの送信電力が設定され、制御部１５７に格納されているプロトコルに応じて送信データの形式が設定されるようになっている。
【００５８】
受信部２１３は、アンテナ２０により受信された無線タグ回路素子Ｔoからの反射波と上記発生させられた搬送波とを掛け合わせる受信第１乗算回路２１８と、その第２乗算回路２１８の出力から必要な帯域の信号のみを取り出すためのバンドパスフィルタ２１９と、このバンドパスフィルタ２１９の出力を増幅する受信第１アンプ２２１と、この受信第１アンプ２２１の出力をさらに増幅してデジタル信号に変換する第１リミッタ２２０と、上記アンテナ２０により受信された無線タグ回路素子Ｔoからの反射波と上記発生された後に移相器２２７で位相を９０°遅らせた搬送波とを掛け合わせる受信第２乗算回路２２２と、その受信第２乗算回路２２２の出力から必要な帯域の信号のみを取り出すためのバンドパスフィルタ２２３と、このバンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記信号処理回路２０２に入力されて処理される。
【００５９】
また、受信第１アンプ２２１及び受信第２アンプ２２５の出力は、ＲＳＳＩ（Received  Signal  Strength  Indicator）回路２２６にも入力され、それらの信号の強度を示す信号「ＲＳＳＩ」が信号処理回路２０２に入力されるようになっている。このようにして、本実施形態のテープ印字装置１では、Ｉ−Ｑ直交復調によって無線タグ回路素子Ｔoからの反射波の復調が行われる。
【００６０】
また、前述したように、作成対象となるタグテープ（第１テープ３Ａ−Ｗまたは第２テープ３Ａ−Ｎ）に対応して制御回路２１０の制御信号により信号処理回路２０２の動作パラメータが設定される。挿入されている無線タグ回路素子Ｔoのメモリ部１５５のメモリ容量に応じて受信データサイズが設定され、制御部１５７に格納されているプロトコルに応じて受信データの形式が設定されるようになっている。
【００６１】
図８（ａ）及び図８（ｂ）は、上記のようにして無線タグ回路素子Ｔoの情報読み取り（又は書き込み)及びタグテープ３Ａの切断が完了し形成された無線タグラベルＴの外観の一例を表す図であり、図８（ａ）は上面図、図８（ｂ）は下面図である。また図９は、図８中IX−IX′断面による横断面図である。
【００６２】
これら図８（ａ）、図８（ｂ）、及び図９において、無線タグラベルＴは、前述のように３層構造となっており、表面側（図９中上側）よりその反対側（図９中下側）へ向かって、感熱紙３ｃ、粘着層３ｂ、剥離紙３ａの順で積層している。そして、前述のように感熱紙３ｃの裏側に、ＩＣ回路部１５０及びアンテナ１５１からなる無線タグ回路素子Ｔoが備えられる(なお、無線タグ回路素子Ｔoは図９中上下逆向きでも良い)とともに、感熱紙３ｃの表面に印字Ｒ（この例では「ＡＡ−ＡＡ」の文字）が印刷されている。
【００６３】
以上において、信号処理回路２０２及び高周波回路２０１の送信部２１２が、各請求項記載の、無線タグ回路素子のＩＣ回路部へのアクセス情報を生成し、装置側アンテナ手段を介して無線タグ回路素子へ送信し、無線タグ回路素子のＩＣ回路部への情報書き込み又はＩＣ回路部からの情報読みとりを行う情報アクセス手段を構成する。
【００６４】
以上のように構成した本実施形態によれば、以下の作用効果を奏する。
【００６５】
すなわち、本実施形態のテープ印字装置１においては、上述したように、第１及び第２ロール４Ｕ，４Ｌを筐体２内に収納し、１つのメインローラ９が一の方向又は他の方向へ選択的に回転することでそれら第１ロール４Ｕ又は第２ロール４Ｌからテープを選択的に繰り出し、その繰り出したテープに印字ヘッド１２Ｕ，１２Ｌで印字を行う。このように、互いに異なる２種類のテープを収納し、それらのうちいずれか１つのテープを選択的に繰り出し印字可能とすることにより、それら複数種類のテープを適宜組み合わせて予め筐体２内に収納配置しておく（この例では幅方向寸法が互いに異なるテープ３Ａ−Ｗ及び３Ａ−Ｎである。その他、色が互いに異なるテープ、厚さが異なるテープ等でもよい）だけで、使用者のニーズに応じてそれら態様の異なるテープを適宜選択的に繰り出し印字を行い、これを用いてラベルＴを作成することが可能となる。この結果、装置内に収納配置した複数のカートリッジを大がかりなカートリッジ搬送装置で使い分ける従来構造と異なり、比較的簡素な構造で、使用者の多種多様な用途に対応してテープ態様（上記無線タグ回路素子の有無や配置間隔等を含む）を可変に設定し、種々のラベルを作成することができる。
【００６６】
また、本実施形態では特に、第１及び第２ロール４Ｕ，４Ｌに、それぞれ無線タグ回路素子Ｔoを備えたタグテープ３Ａ−Ｗ，３Ａ−Ｎを巻回し、それぞれの無線タグ回路素子ＴoのＩＣ回路部１５０へのアクセス情報を生成してアンテナ２０を介して送信し、アクセス（＝情報書き込み又は読み取り）を行う。したがって、選択的に繰り出しかつアクセス及び印字を行う複数種類のテープとして、上記のように幅方向寸法が異なるタグテープ３Ａ−Ｗ，３Ａ−Ｎの組み合わせのほかにも、例えば無線タグ回路素子Ｔoを比較的長い間隔で配置したテープと比較的短い間隔で配置したテープ、無線タグ回路素子Ｔoを備えたテープと備えないテープ等を適宜組み合わて用いることで、使用者のニーズに応じてそれら態様の異なるテープを適宜選択的に繰り出し、アクセス及び印字を行い、無線タグラベルＴを作成することが可能となる。この結果、装置内に収納配置した複数のカートリッジを大がかりなカートリッジ搬送装置で使い分ける従来構造と異なり、比較的簡易な構造で、使用者の多種多様な用途に対応してテープ態様（上記無線タグ回路素子Ｔoの有無や配置間隔等を含む）を可変に設定し、種々の無線タグラベルＴを作成することができる。
【００６７】
特に、上記実施形態においては、テープ３Ａ−Ｗとテープ３Ａ−Ｎとは、テープ幅方向寸法が異なるものの、両方が無線タグ回路素子Ｔoを備えている。そこでこれを利用して、ある１つの無線タグ情報の書き込みを無線タグ回路素子Ｔoに行うとともに印字領域にこれに対応する印字を行って無線タグラベルＴを作成する際、上記タグテープ３Ａ−Ｗを用いた幅広の無線タグラベルＴと上記タグテープ３Ａ−Ｎを用いた幅狭の無線タグラベルＴとを一組として作成するようにしても良い。
【００６８】
この場合、例えば制御回路２１０が、まず印字すべき印字情報及びＩＣ回路部１５０へ書き込むべき情報を読み込んだ後、切替部材１０を前述の下方位置に切り替えメインローラ９を駆動してタグテープ３Ａ−Ｗを繰り出し、アンテナ２０を介してタグテープ３Ａ−Ｗの無線タグ回路素子ＴoのＩＣ回路部１５０に対する所定の無線タグ情報（例えばタグＩＤ等）の書き込みを行い、これに対応する印字を上印字ヘッド１２Ｕで行った後、カッタユニット８を作動させてカッタ１４Ｕで印字済みのタグテープ３Ａ−Ｗの切断を行い、上記幅広の無線タグラベルＴを作成する。その後連続して、切替部材１０を前述の上方位置に切り替えメインローラ９を駆動してタグテープ３Ａ−Ｎを繰り出し、アンテナ２０を介して上記書き込んだ情報と同一の情報（タグＩＤ等）をタグテープ３Ａ−Ｎの無線タグ回路素子ＴoのＩＣ回路部１５０に書き込み、これに対応する印字（上記と同一でもよいし変えても良い）を下印字ヘッド１２Ｌで行った後、カッタユニット８を作動させてカッタ１４Ｌで印字済みのタグテープ３Ａ−Ｎの切断を行い、上記幅狭の無線タグラベルＴを作成する。
【００６９】
このようにすれば、同一の情報を書き込んだ無線タグラベルを常時２個１組で作成することができる。特に操作者のワンタッチ操作でこれら１組２個が一連に作成されるようにすれば利便性が高い。この場合、同一無線タグラベルを２個ずつ作成したいときに便利であるし、一方を本来使用したい無線タグラベル、他方をスペア（予備）用の無線タグラベルといった使い方も可能となる。また、テープ属性の異なる（この例では幅広幅狭）２種類の同一情報無線タグラベルＴを作成したい場合にも対応できる。あるいは、無線タグ回路素子Ｔo自体の特性が異なる同一ＩＤの無線タグラベル２つを作成することも考えられ、例えば感度が低い近距離用タグラベルＴと感度が高い遠距離用タグラベルＴ、異なる２種類の通信プロトコルそれぞれ用のタグラベル、異なる２種類の周波数それぞれ用のタグラベルなどを１組として作成できる。
【００７０】
さらに、無線タグ回路素子Ｔoを一方のテープだけ備えていてもよく、この場合は、例えば一方のタグテープを用いて通常通り無線タグラベルＴを作成するともに、他方の無線タグ回路素子Ｔoを備えないテープを用いて上記無線タグラベルにどのような印字を行ったかを確認するためのラベルをワンセットとして作成することもできる。あるいは、両方ともに無線タグ回路素子Ｔoを備えないテープを用いて印字ラベルを作成することも可能であり、同一ラベルを２個ずつ作成したい場合に便利である。また、上記同様、一方を本来使用したいラベル、他方をスペア（予備）用といった使い方も可能であり、また、テープ属性の異なる（幅広幅狭、色違い等）２種類の同一印字ラベルを作成したい場合にも対応できる。
【００７１】
また、本実施形態においては特に、装置側アンテナ手段として１つのアンテナ２０を設け、メインローラ９が一の方向（図３中反時計まわり方向）へ回転して第１ロール４Ｕからタグテープ３Ａ−Ｗが繰り出されるときも、メインローラ９が他の方向（図４中時計まわり方向）へ回転して第２ロール４Ｌからタグテープ３Ａ−Ｎが繰り出されるときも、１つの共通のアンテナでそれぞれの無線タグ回路素子Ｔoと通信を行う。この結果、それぞれに対応して２つのアンテナを別々に設ける場合（後述の変形例参照）に比べ、印字装置１におけるスペースの有効活用や印字装置１全体の小型化を図れる効果がある。
【００７２】
また、本実施形態では特に、ロール収容部としての上カートリッジホルダ部２Ｕ及び下カートリッジホルダ部２Ｌにおいて、軸心を略水平方向とした上記第１ロール４Ｕ及び第２ロール４Ｌが略鉛直方向に重なって配列されている。これにより、ロール収容部の水平方向の奥行き寸法を低減することができ、装置１におけるスペースの有効活用や装置全体の小型化を図ることができる。
【００７３】
また、本実施形態では特に、制御回路２１０は切替駆動手段を制御するとともに第１または第２のテープに内蔵された無線タグ回路素子の通信パラメータに対応し、切り替えて設定するので第１または第２のテープに内蔵された無線タグ回路素子の通信パラメータが異なる場合であっても確実にアクセスできる。
【００７４】
なお、本発明は、上記一実施形態に限られるものではなく、その趣旨及び技術的思想を逸脱しない範囲内で、種々の変形が可能である。以下、そのような変形例を説明する。
【００７５】
（１）共通の１つの印字ヘッドを回転させ切替配置して用いる場合
図１０及び図１１は、この変形例による印字・アクセス部ＰＡの詳細構造を表す図１中要部拡大抽出図であり、図１０は第１ロール４Ｕからタグテープ３Ａ−Ｗを繰り出すときの状態を表し、図１１は第２ロール４Ｌからタグテープ３Ａ−Ｎを繰り出すときの状態を表している。それぞれ前述の実施形態の図３及び図４に相当している。上記実施形態と同等の部分には同一の符号を付し、説明を省略する。
【００７６】
図１０及び図１１において、本変形例においては、タグテープ３Ａ−Ｗの搬送経路とタグテープ３Ａ−Ｎの搬送経路との間で、配置位置（ヘッド本体の設置向き）が切り替え駆動される（図中双頭矢印参照）共通の印字ヘッド１２Ｍ（印字手段）が支持部材６に取り付けられている。
【００７７】
そして、図示しない適宜のヘッド切替駆動手段の駆動力により、切替部材１０が上記下方位置になって上記上補助ローラ１３Ｕがメインローラ９に上方から当接してタグテープ３Ａ−Ｗを挟み込み第１ロール４Ｕから繰り出して搬送するときには、印字ヘッド１２Ｍが図１０に示すように切り替えられタグテープ３Ａ−Ｗに当接して印字を行う。一方、切替部材１０が上記上方位置になって上記下補助ローラ１３Ｌがメインローラ９に下方から当接してタグテープ３Ａ−Ｎを挟み込み第２ロール４Ｌから繰り出して搬送するときには、印字ヘッド１２Ｍが図１１に示すように切り替えられタグテープ３Ａ−Ｎに当接して印字を行うようになっている（すなわちタグテープ３Ａ−Ｗ側かタグテープ３Ａ−Ｎ側かのいすれか一方に、選択的に搬送駆動及び印字が行われる）。
【００７８】
本変形例によっても、比較的簡素な構造で種々のラベルを作成できるという本発明本来の効果等、上記実施形態とほぼ同様の効果を得ることができる。
【００７９】
（２）ロール配置位置やロール繰り出し位置のバリエーション
以上においては、図１に示したように、ロール収容部としての上カートリッジホルダ部２Ｕ及び下カートリッジホルダ部２Ｌにおいて、軸心を略水平方向とした上記第１ロール４Ｕ及び第２ロール４Ｌが略鉛直方向に重なって配列したが、これに限られるものではなく、他のロール配列でもよい。
【００８０】
図１２は、そのような変形例によるテープ印字装置１−１の概略構成を表す側部概念図であり、上記図１に相当する図である。図１２において、このテープ印字装置１−１では、ロール収容部としての上カートリッジホルダ部２Ｕ及び下カートリッジホルダ部２Ｌは、軸心を略水平方向とした第１ロール４Ｕ及び第２ロール４Ｌが略水平方向に並んで配列されるように、それら第１及び第２ロール４Ｕ，４Ｌを収容している。これにより、ロール収容部の高さ方向の寸法を低減することができ、装置１におけるスペースの有効活用や装置１全体の小型化を図ることができる。また、図１３に示すように、第１及び第２ロール４Ｕ，４Ｌの上下は位置関係については上記実施形態と同様としつつも、その繰り出し位置（繰り出しのためのロール回転方向）を変えるようにしても良い。この例では、第２ロール４Ｌの繰り出し位置が上記実施形態のロール頂部からロール下前部に変わっており、この結果として繰り出しのためのロール回転方向が図１に示す反時計回りから図１３に示す時計回りに逆方向となっている。
【００８１】
（３）アンテナのバリエーション
以上においては、図３等に示すようにアンテナ２０を支持部材６に設けたが、これに限られず、タグテープ３Ａ−Ｗ側とタグテープ３Ａ−Ｎ側の無線タグ回路素子Ｔoにそれぞれ通信可能であれば他の位置でも良く、例えば筐体２内のカッタユニット８の上部又は下部や、あるいは切替部材１０に設けても良い。
【００８２】
さらに、タグテープ３Ａ−Ｗ側とタグテープ３Ａ−Ｎ側通信用で共通の１つのアンテナ２０を用いるのにも限られず、タグテープ３Ａ−Ｗの無線タグ回路素子Ｔoとの間で無線通信により情報の送受信が可能なアンテナ２０Ｕ（第１アンテナ、図示せず）と、タグテープ３Ａ−Ｎの無線タグ回路素子Ｔoとの間で無線通信により情報の送受信が可能なアンテナ２０Ｌ（第２アンテナ、図示せず）とを設けるようにしてもよい。この場合、例えばタグテープ３Ａ−Ｗ及びタグテープ３Ａ−Ｎの無線タグ回路素子Ｔoへの通信周波数が互いに異なるときに、第１アンテナ２０Ｕはタグテープ３Ａ−Ｗの無線タグ回路素子Ｔoへの通信周波数に適したものとし、第２アンテナ２０Ｌはタグテープ３Ａ−Ｎの無線タグ回路素子Ｔoへの通信周波数に適したものとして、周波数の異なるアンテナを使い分けることも可能である。
【００８３】
なお、高周波回路２０１とアンテナ２０Ｕ，２０Ｌとを選択的に切替接続するアンテナ切替手段を設けて、信号処理回路２０２や高周波回路２０１については両方のアンテナ２０Ｕ,２０Ｌについて共通としても良い。
【００８４】
（４）その他
なお、以上においては、カッタユニット８は制御回路２１０からの制御に基づくソレノイド駆動によって自動で切断を行うようにしたが、これに限られず、手動操作に基づくソレノイド駆動で切断を行ってもよいし、ソレノイド駆動でなくカッタ１４Ｕ，１４Ｌ自体のテープ幅方向移動を手動操作としてもよい（手動切断）。
【００８５】
また、既に述べた以外にも、上記実施形態や各変形例による手法を適宜組み合わせて利用してもよい。
【００８６】
その他、一々例示はしないが、本発明は、その趣旨を逸脱しない範囲内において、種々の変更が加えられて実施されるものである。
【図面の簡単な説明】
【００８７】
【図１】本発明の一実施形態のテープ印字装置の概略構成を表す側部概念図である。
【図２】図１に示したテープ印字装置の上部概念図である。
【図３】印字・アクセス部の詳細構造を表す図１中要部拡大抽出図である。
【図４】印字・アクセス部の詳細構造を表す図１中要部拡大抽出図である。
【図５】無線タグ回路素子の機能的構成を表す機能ブロック図である。
【図６】テープ印字装置の制御系を表す概念図である。
【図７】高周波回路の詳細機能を表す機能ブロック図である。
【図８】無線タグラベルの外観の一例を表す上面図及び下面図である。
【図９】図８中IX−IX′断面による横断面図である。
【図１０】共通の１つの印字ヘッドを回転させ切替配置して用いる変形例による印字・アクセス部の詳細構造を表す図１中要部拡大抽出図である。
【図１１】共通の１つの印字ヘッドを回転させ切替配置して用いる変形例による印字・アクセス部の詳細構造を表す図１中要部拡大抽出図である。
【図１２】他のロール配列の変形例によるテープ印字装置の概略構成を表す側部概念図である。
【図１３】ロール繰り出し位置の変形例によるテープ印字装置の概略構成を表す側部概念図である。
【符号の説明】
【００８８】
１                印字装置
１−１            印字装置
１−２            印字装置
２                筐体
２Ｌ              下カートリッジホルダ部（ロール収容部）
２Ｕ              上カートリッジホルダ部（ロール収容部）
３Ａ−Ｎ          タグテープ（第２テープ）
３Ａ−Ｗ          タグテープ（第１テープ）
４Ｌ              第２ロール
４Ｕ              第１ロール
９                メインローラ（駆動ローラ、繰り出し手段）
１２Ｌ            下印字ヘッド（第２印字ヘッド、印字手段）
１２Ｍ            印字ヘッド（共通の印字ヘッド、印字手段）
１２Ｕ            上印字ヘッド（第１印字ヘッド、印字手段）
１３Ｌ            下補助ローラ
１３Ｕ            上補助ローラ
２０              アンテナ（装置側アンテナ手段）
１１１            切替駆動手段
２０１            高周波回路（情報アクセス手段）
２０２            信号処理回路（情報アクセス手段）
２１２            送信部（情報アクセス手段）
Ｔo               無線タグ回路素子
【図１】
2006240220.tif 000003
【図２】
2006240220.tif 000004
【図３】
2006240220.tif 000005
【図４】
2006240220.tif 000006
【図５】
2006240220.tif 000007
【図６】
2006240220.tif 000008
【図７】
2006240220.tif 000009
【図８】
2006240220.tif 000010
【図９】
2006240220.tif 000011
【図１０】
2006240220.tif 000012
【図１１】
2006240220.tif 000013
【図１２】
2006240220.tif 000014
【図１３】
2006240220.tif 000015